(57)【要約】      （修正有）【課題】安定性が効果的に向上されるフロートユニット(float unit)の構造を提供する。【解決手段】本考案に係るフロートユニット(float unit)の構造は周縁が波浪状の壁面により構成され、二つずつのフロートユニット(float unit)の構造を結ぶことで、安定かつ丈夫な関係を築く。また、本考案は底部が非平面形状に形成されるので、波浪を消す作用が出来る。【選択図】図１
0003128524.tif 000002
【実用新案登録請求の範囲】
【請求項１】
フロートユニット(float unit)の構造において、主にフロートユニット(float unit)の構造に、上部、底部及び四周の壁面を設け、フロートユニット(float unit)の構造の水中に沈んだ底部は非平面形状を採用して、波浪を消す作用があることで、フロートユニット(float
unit)の構造の水中安定程度を向上させることを特徴とするフロートユニット(float unit)の構造。
【請求項２】
フロートユニット(float unit)の構造は塑性材質で作られることを特徴とする請求項1記載のフロートユニット(float unit)の構造。
【請求項３】
フロートユニット(float unit)の構造の底部は主に、一つの十字肋の凹凸エリア(area)を含み、十字肋の凹凸エリア(area)をさらに四つの凸点エリア(area)に区画することを特徴とする請求項1記載のフロートユニット(float unit)の構造。
【請求項４】
フロートユニット(float unit)の構造の底部は等しい間隔を置くように、いくつの弧状凸肋を設置することを特徴とする請求項1記載のフロートユニット(float unit)の構造。 
【請求項５】
フロートユニット(float unit)の構造の底部はいくつの異なるサイズ(size)の方形フレーム(frame)凸肋を漸層拡大のように設置することを特徴とする請求項1記載のフロートユニット(float unit)の構造。 
【請求項６】
フロートユニット(float unit)の構造の四周の壁面は波浪型を採用して、挟み切った抵抗力を向上する効果に役立つことをとくちょうとする請求項1記載のフロートユニット(float unit)の構造。
【請求項７】
フロートユニット(float unit)の構造の水中に沈まない上部に、凹入を設置して、カバー(cover)を収容し、凹入の中に、溝槽を設け、カバー(cover)には、滑り止め花紋を設けることを特徴とする請求項1記載のフロートユニット(float unit)の構造。 
【考案の詳細な説明】
【技術分野】
【０００１】
本考案はフロートユニット(float unit)の構造に関するものであり、特に波浪を消す効果を持つというフロートユニット(float
unit)の構造改良を指す。
【背景技術】
【０００２】
従来技術としては、例えば、本考案者による米国特許第６０３３１５１号（Float Unit With Corrugated）というものがある。その中には、既知のフロートユニット(float unit)の構造２１を示しある。そのフロートユニット(float unit)の構造２１は大体、方形のブロック(block)になって、周縁に、連続の波浪面２１３、２１４になる。そうすると、いくつのフロートユニット(float
unit)の構造２１を結合ユニット(unit)２２の挿入で、水上の平面台はアセンブリ(assembly)される。二つずつのフロートユニット(float unit)の構造２１の間は対応の波浪面２１３、２１４を経由して貼り合うので、結合の安定程度が極めてよいし、しかも、結合ユニット(unit)２２の受けることで挟み切った力が大幅に低降される。水流の強い箇所に設置しても、すぐれた安定程度が得られ、人員に、安全の保護を提供することが出来る。
【特許文献１】米国特許第６０３３１５１号
【考案の開示】
【考案が解決しようとする課題】
【０００３】
前掲の既知のフロートユニット(float
unit)の構造２１は周縁に形成された波浪面２１３、２１４のために、安定程度が向上されるが、本考案者が実際に、水上平面台としてアセンブリ(assembly)するときに、改良しなければならない欠点を発見した。フロートユニット(float unit)の構造２１の水に沈んだ底面が平面だから、既知のフロートユニット(float unit)の構造２１はいつも、水流の波動につれて起伏している。大型の水上平面台ならば、起伏が小さいが、中小型の水上平面台ならば、起伏が明らかに見える。そして、本考案者は既知のフロートユニット(float unit)の構造２１の理想ではない要点を発見して、改良の動機が出て来る。それら製品の設計、製造に携わってきた経験で、研究、改良したいので、長い間に構想したり、試験したり、修正することを経由して、ようやく本考案を設計し、予期の実用性、効果を遂げる。
【課題を解決するための手段】
【０００４】
要するに、本考案により、フロートユニット(float
unit)の構造改良の解決したい技術問題は既知のフロートユニット(float unit)の構造の水に沈んだ底面が平面だから、既知のフロートユニット(float unit)の構造がいつも、水流の波動につれて起伏し、いくつのフロートユニット(float unit)の構造を水上の平面台にアセンブリ(assembly)するときに、理想的な安定程度が得られず、改良しなければならないということが分かった。
【０００５】
前掲の問題を克服するために、本考案はフロートユニット(float unit)の構造改良を提供する。フロートユニットの構造は周縁が波浪状の壁面になるので、二つずつのフロートユニット(float unit)の構造を結ぶときに、安定かつ丈夫な関係を築く。また、本考案は底部が非平面状のように形成されるので、波浪を消す作用が出て来る。そうすると、いずれの規模の水上の平面台としてアセンブリ(assembly)しても、安定レベルが効果的に向上され、すぐれた設計だと言える。
【考案を実施するための最良の形態】
【０００６】
本案の目的、特徴を遂げて、採用される技術手段及び効果などをご了解なさるために、以下、さらに具体的な実施例に図面をあわせて詳しく説明してみよう。
【０００７】
まずは図１を御参照して下さい。本考案のフロートユニット(float unit)の構造１０Aは塑性材料（例えばPE）で、一体化のように、図示のような立方体を成型する。フロートユニット(float unit)の構造１０Aの周縁に、連続の波浪型壁面１１は形成される。勿論、四周の壁面は伝統の平面形状を採用し、各隅に、凸耳１２を設けてもよい。本実施例のフロートユニット(float unit)の構造１０Aの壁面１１ならば、波浪型となるので、各フロートユニット(float unit)の構造１０Aを相互にアセンブリ(assembly)するときに、接続の強度を高めて、海浪又は水面から招いた挟み切った力を有効的に抵抗し、つまり、各フロートユニット(float unit)の構造１０Aの間の挟み切った抵抗力を向上させる。
【０００８】
フロートユニット(float unit)の構造１０Aはさらに、一つの上部１３及び一つの底部１４を含む。上部１３は平面又は少々突き出すような凸面であり、しかも、滑り止め花紋１３１を設置する。上部１３の各隅に、凸耳１２に対応する凹弧１３２を設ける。
【０００９】
フロートユニット(float unit)の構造１０Aの各隅における凸耳１２には、皆貫通孔１２１を設ける。それら凸耳１２の用途は結合ユニット（図面に示せず）の貫通のために設置される。二つずつのフロートユニット(float unit)の構造１０Aにおける二つの凸耳１２を重畳するときに、結合ユニットの挿入を経由して結ぶと、二つずつのフロートユニット(float unit)の構造１０Aが分離できなかった。
【００１０】
フロートユニット(float unit)の構造１０Aの底部１４は主に、非平面形状を設置する。本実施例ならば、非平面形状の底部１４は各隅へ向かって延伸する十字肋の凹凸エリア(area)１４１を含む。十字肋の凹凸エリア(area)１４１の間に、四つのエリア(area)を区画する。四つのエリア(area)には、平均するように、いくつの凸点を設置する。ここで、それを凸点エリア(area)１４２として定義する。
【００１１】
注意したいことはフロートユニット(float
unit)の構造１０の底部１４に、十字肋の凹凸エリア(area)１４１及び凸点エリア(area)１４２を設置するので、フロートユニット(float unit)の構造１０を水面に設置するときに、そんな二つのエリア(area)１４１、１４２は液体の波動を相殺することができ、波浪を消す作用を達成する。そうすると、既知のフロートユニット(float unit)の構造に比べると、もっと良い安定性が得られる。
【００１２】
図２を御参照して下さい。それは本考案の第二実施例である。第二実施例がほぼ第一実施例と同じだが、主な差異はフロートユニット(float unit)の構造１０Bのベース１４の設置が異なる。その非平面形状の底部１４に、ただ、いくつの凸体１５を設置する。そんな変更をしても、非平面形状の底部１４はやっぱり波浪を消す作用がある。ゆえに、フロートユニット(float unit)の構造１０Bを水面に放置するときの安定性も向上される。
【００１３】
図３を御覧して下さい。それは本考案の第三の実施例である。第三実施例と第一実施例の差異は主に二つがある。その一つならば、本実施例のフロートユニット(float unit)の構造１０Cの底部１４の非平面形状はいくつの等しい間隔を置く弧状凸肋１６を設ける。それも波浪を消す作用を遂げて、安定程度を向上させる。もう一つならば、本実施例のフロートユニット(float unit)の構造１０Cの上部に、凹むように十字溝槽１７が形成される。十字溝槽１７の用途は紐、ワイヤ(wire)（図示せず）を通過する。本例のフロートユニット(float unit)の構造１０Cにより、アセンブリ(assembly)される水上平面台に、電気ワイヤ(wire)を敷くと、異なる照明設備又は他の電力供給設備を追加することが出来る。
【００１４】
図４、図５を御覧して下さい。それは本考案の第四の実施例である。第四実施例と第一実施例の差異は主に二つがある。その一つならば、本実施例のフロートユニット(float unit)の構造１０Dの底部１４の非平面状はいくつの異なるサイズ(size)の方形フレーム(frame)凸肋１８を漸層拡大のように設ける。それも波浪を消す作用を遂げて、安定程度を向上させる。もう一つならば、本実施例のフロートユニット(float unit)の構造１０Dの上部に、凹入１９が形成される。凹入１９の中に、さらに、十字溝槽１９１を設ける。その凹入１９を経由して、カバー(cover)２０をかぶせる。十字溝槽１９１の用途は紐、ワイヤ(wire)（図示せず）を通過する。つまり、ワイヤ(wire)の通路又は電気ワイヤ(wire)を敷く効果に役立つ。
【００１５】
前掲のカバー(cover)２０の上面に、滑り止め花紋２１を設けるので、人員がフロートユニット(float unit)の構造１０Dに歩くときに、滑って転ぶことを防ぐ。
【００１６】
図６、図７を御覧して下さい。それは本考案の第五の実施例である。本例がほぼ前掲の第四実施例と同じであるが、主な差異はフロートユニット(float unit)の構造１０Eのサイズ(size)が二つの立方体単位の形状を採用する。つまり、矩形体の形状は二つの立方体のアセンブリ(assembly)である。フロートユニット(float
unit)の構造１０Eの上部に、凹入１９Eが形成され、二つの凹入１９のサイズ(size)と等しい。凹入１９Eの中に、さらに、ダブル十字溝槽１９１Eを設け、二つの溝槽１９の形状と等しい。フロートユニット(float unit)の構造１０Eの凹入１９Eを経由して、カバー(cover)２０Eをかぶせる。カバー(cover)２０Eは二つのカバー(cover)２０のサイズ(size)と等しい。カバー(cover)２０Eの表面に、二つの滑り止め花紋２１Eを設ける。二つの滑り止め花紋２１Eは滑り止め花紋２１と異なる。フロートユニット(float unit)の構造１０Eの底部１４Eには、第一実施例の底部１４における同じの非平面形状を配置する。
【図面の簡単な説明】
【００１７】
【図１】本考案の第一実施例の立体外観図である。
【図２】本考案の第二実施例の立体外観図である。
【図３】本考案の第三実施例の立体外観図である。
【図４】本考案の第四実施例の立体外観図である。
【図５】本考案の第四実施例の立体分解図である。
【図６】本考案の第五実施例の立体外観図である。
【図７】本考案の第五実施例の立体分解図である。
【符号の説明】
【００１８】
１０Ａ    フロートユニット(float
unit)の構造
１１      壁面
１２      凸耳
１２１    貫通孔
１３      上部
１３１    滑り止め花紋
１３２    凹弧
１４      底部
１４１    凹凸エリア(area)
１４２    凸点エリア(area)
１０Ｂ    フロートユニット(float
unit)の構造
１５      凸体
１０Ｃ    フロートユニット(float
unit)の構造
１６      弧状凸肋
１７      溝槽
１０Ｄ    フロートユニット(float
unit)の構造
１８      方形フレーム(frame)凸肋
１９      凹入
１９１    溝槽
２０      カバー(cover)
２１      滑り止め花紋
１０Ｅ    フロートユニット(float
unit)の構造
１４Ｅ    底部
１４１Ｅ  凹凸エリア(area)
１４２Ｅ  凸点エリア(area)
１９Ｅ    凹入
１９１Ｅ  溝槽
２０Ｅ    カバー(cover)
２１Ｅ    滑り止め花紋
【図１】
0003128524.tif 000003
【図２】
0003128524.tif 000004
【図３】
0003128524.tif 000005
【図４】
0003128524.tif 000006
【図５】
0003128524.tif 000007
【図６】
0003128524.tif 000008
【図７】
0003128524.tif 000009
【手続補正書】
【提出日】平成18年10月26日(2006.10.26)
【手続補正１】
【補正対象書類名】実用新案登録請求の範囲
【補正対象項目名】請求項１
【補正方法】変更
【補正の内容】
【請求項１】
フロートユニット(float unit)の構造において、フロートユニット(float
unit)の構造に、上部、底部及び四周の壁面を設け、フロートユニット(float unit)の構造の水中に沈んだ底部は非平面形状を採用して、波浪を消す作用があることで、フロートユニット(float unit)の構造の水中安定程度を向上させることを特徴とするフロートユニット(float
unit)の構造。  
【手続補正２】
【補正対象書類名】実用新案登録請求の範囲
【補正対象項目名】請求項３
【補正方法】変更
【補正の内容】
【請求項３】
フロートユニット(float unit)の構造の底部は、一つの十字肋の凹凸エリア(area)を含み、十字肋の凹凸エリア(area)をさらに四つの凸点エリア(area)に区画することを特徴とする請求項1記載のフロートユニット(float unit)の構造。